【事件の表示】
　特願２００２−２３７４７６「カラー画像処理装置、画像出力方法、並びに画像形成装置及び方法」拒絶査定不服審判事件〔平成１６年　３月１１日出願公開、特開２００４−　７４５６１〕について、次のとおり審決する。
【結　論】
　本件審判の請求は、成り立たない。
【理　由】
１　手続の経緯・本願発明
（１）手続の経緯
　本願は、平成１４年８月１６日の出願であって、平成１６年６月１５日及び平成２０年９月１日付けで手続補正がなされ、平成２１年２月２日付けで拒絶査定がなされ、これに対して、同年３月９日に拒絶査定不服審判が請求され、当審において、平成２２年７月２０日付けで拒絶の理由（以下「当審拒絶理由」という。）が通知され、同年９月２１日に手続補正がなされたものである。
　
（２）本願発明
　本願の請求項１ないし８に係る発明は、平成２２年９月２１日付け手続補正によって補正された明細書及び図面の記載からみて、その特許請求の範囲の請求項１ないし８に記載された事項により特定されるとおりのものであると認められるところ、請求項１に係る発明（以下「本願発明」という。）は次のものである。
　
「ネットワークに接続されたカラー画像処理装置であって、キャリブレーション実行中に前記ネットワークを介して転送されたＰＤＬデータを画像データに展開するラスタライズ手段と、該ラスタライズ手段により展開された画像データを記憶する記憶手段と、該記憶手段により記憶されている画像データに基づき画像形成を行なう画像形成手段とを有するカラー画像処理装置において、
　複数のパッチからなるパターン画像を前記画像形成手段により形成し、該パターン画像の読み取り値と基準値を比較することで補正テーブルを作成する前記キャリブレーションをおこなうキャリブレーション手段と、
　前記記憶手段により画像データを記憶してから、前記キャリブレーションが実行中であるか否かを判断する判断手段と、
　該判断手段によりキャリブレーションが実行中と判断された場合には、該キャリブレーションの実行が終了するまで待機させた後、前記画像形成手段による画像形成を開始させる制御手段と
　を備えたことを特徴とするカラー画像処理装置。」
　
２　刊行物の記載事項
　当審拒絶理由に引用した「本願の出願前に頒布された刊行物である特開２０００−２２７６８４号公報（以下「引用例」という。）」には、図とともに次の事項が記載されている。
　
（１）「【０００１】
【発明の属する技術分野】本発明は画像形成装置及びその制御方法に関し、例えば、
画像形成のキャリブレーション処理を行なう画像形成装置
【０００２】
【従来の技術】一般に、フルカラー画像を形成する画像形成装置においては、
使用環境や累積プリント枚数等の諸条件の変化によって形成画像の濃度が変動すると、本来の正しい色調が得られなくなってしまう
従来の画像形成装置においては、現在の画像形成状況を検出するために、電源投入直後や所定枚数のプリント後等の所定タイミングにおいて、感光ドラムや中間転写体上に各色毎に濃度検知用のトナー画像（以下、パッチと記す）を試験的に形成し、その濃度を自動的に検知し、該画像形成状況に基づいて各種キャリブレーション処理を施すことにより、安定した画像品質及び画像精度を維持していた
【０００３】従来の画像形成装置におけるキャリブレーション処理としては、例えば以下に示す制御が知られている。
【０００４】まず、感光ドラム上や中間転写体上に各色のパッチを試験的に形成し、その濃度をセンサにより検知する。そして、その検知結果に基づいて露光量、現像バイアス量等の画像形成条件を可変とすることにより、最適な画像濃度が得られる様に制御する濃度制御によるキャリブレーション。
【０００５】また、中間転写体上に各色の位置検出用パッチを形成し、その位置関係をセンサにより検出することによって各色の画像形成位置（レジストレーション）を補正するレジ補正によるキャリブレーション。
【０００６】また、帯電器等により感光ドラムを一様に帯電させ、その時の感光ドラムの帯電電位をセンサにて測定することによって感光ドラムの劣化を検知し、帯電バイアス値を調整する帯電バイアス制御によるキャリブレーション、等が知られている。
【０００７】
【発明が解決しようとする課題】しかしながら、上記従来の画像形成装置においては、各種キャリブレーシヨン処理の実行後には安定した画像品質及び画像精度は得られるものの、キャリブレーション処理の直前と直後とにおいて、画像濃度をはじめとする画像品質及び画像精度に差違が現れることは明らかである。
【０００８】従って、
例えば所定枚数のプリント毎に上記キャリブレーション処理が実行される場合、１枚の原稿を大量に複写するような一連の印刷処理の途中でキャリブレーションが実行されてしまう場合が発生する。このような場合、同様の印刷処理を行なっているにも関わらず、キャリブレーション処理の前後で印刷結果が大きく異なってしまうという不具合が発生してしまう
【０００９】又、
キャリブレーションを実行するためには相応の処理時間を要することはもちろんである。従って、プリント開始時や所定枚数のプリント毎の所定タイミングに無条件でキャリブレーション処理を実行した場合、例えば高い画像品質や画像精度を必要としない、実質的に短時間で印刷されるようなプリントを行なう場合においても、キャリブレーションの実行タイミングによっては、１枚の印刷のために膨大な時間がかかってしまう
【００１０】
本発明は上記問題を解決するためになされたものであり、キャリブレーション処理の実行タイミングを任意に制御することを可能とする
　
（２）「【００１８】＜第１実施形態＞図１に、本実施形態におけるカラー画像形成装置の構造を示し、以下にその作用とともに説明する。
【００１９】
１はホストコンピュータであり、画像データを一定の規則に基づいたコードに変換して画像形成装置１６に送信する。画像形成装置１６は、コード化されたデータを画像データに変換するコントローラ２、画像形成装置本体における画像形成動作の各種制御を掌るエンジンコントローラ３を備える。又、画像形成プロセスを実現するために、感光ドラム５、帯電器１５を備え、更に、複数の現像器４ａ，４ｂ，４ｃ，４ｄを回転可能な支持体４で担持している。感光ドラム５の上方にはレーザダイオード及びポリゴンミラーが装着され、高速で回転するポリゴンモータ、レンズ、折り返しミラー（いずれも不図示）等によって構成される露光装置７が配置される。また、１２は操作部であり、タッチパネル等のディスプレイを備え、ユーザからの指示入力や装置の状態報知等が行われる
【００２０】
ホストコンピュータ１から送出されたコード化されたデータは、コントローラ２に入力されて画像データに変換され、各色毎にエンジンコントローラ３に送出される。さらに露光装置７内のレーザダイオードが画像信号に基づいて点灯することによって、画像情報に対応した光情報が感光ドラム５に照射されて静電潜像が形成され、現像器４ａ〜４ｄにより可視化される。感光ドラム５上に形成されたトナー像は、その後中間転写体８上に転写される
【００２１】
このような工程を各色分繰り返すことにより、中間転写体８上には複数色のトナーによるフルカラー画像が形成される。その後、中間転写体８上のトナー画像は転写材に転写され、該転写材は搬送路１４を通過して定着ユニット１３に搬送されてトナー画像が永久定着されることにより、転写材上にカラー画像が得られ
【００２２】一方、感光ドラム５上に残留したトナーはブレード、ファーブラシ等（不図示）により清掃される。又、中間転写体８上の残留トナーに関しても同様に、ファーブラシやローラ等（不図示）で清掃される。
【００２３】尚、９は位置センサ、１０ａ，１０ｂはトナー濃度センサであり、それぞれ中間転写体８上に形成された各色毎のトナー像の位置及び濃度を検知する。また、１１は電位センサであり、帯電した感光ドラム５の表面電位を検知する。これらセンサは、本実施形態における各種キャリブレーション処理の際に利用される。
【００２４】本実施形態において実行される
キャリブレーション処理としては例えば、感光ドラム５上や中間転写体８上に各色のパッチを試験的に形成し、その濃度をセンサ１０ａ又は１０ｂにより検知し、
【００２５】また、本実施形態におけるキャリブレーション処理としては、プリンタエンジン部における画像形成プロセスに関する制御のみに限定されず、
例えばコントローラ２において、上述したようにして検出されたパッチ濃度等の値に基づき、各色成分のガンマテーブル等の色処理条件を調整して出力階調を補正することも考えられる
【００２６】本実施形態においては、
所定プリント枚数毎や電源投入時等の所定タイミングにおいてキャリブレーション処理が実行される通常プリントモードに加えて、更に、プリント動作の直前に強制的にキャリブレーション処理を行なう特定プリントモードを備える
【００２７】本実施形態における
特定プリントモードは、ホストコンピュータ１から入力されるコマンドの解析結果等に基づいて、コントローラ２によりその実行が制御される。もちろん、画像形成装置１６における操作部１２により、ユーザが特定プリントモードを直接設定することも可能
【００２８】以下、本実施形態におけるプリント処理について、図２のフローチャートを参照して説明する。
【００２９】まずステップＳ１０１において、画像形成装置１６内のコントローラ２により、特定プリントモードが設定されているか否かが判定される。この判定は、上述したようにホストコンピュータ１から入力されたコマンドに基づいて行われる。
特定プリントモードが設定されていなければステップＳ１０９へ進んで通常のプリント処理を行なうが、特定プリントモードが設定されていれば、コントローラ２は、エンジンコントローラ３に対して強制的にキャリブレーション処理を実行する旨の命令を送信することにより、以下に示す特定プリントモードによるプリント処理を開始する
【００３０】特定プリントモードにおいてエンジンコントローラ３は、まずステップＳ１０２でキャリブレーション処理の試行回数Ｎを１に初期設定した後、ステップＳ１０３においてキャリブレーション処理を実行する。ここでキャリブレーション処理としては例えば、画像形成プロセスに関わる各ユニットが正常であるか否かの判別を行なった後に、通常の濃度制御シーケンス及び印字位置調整シーケンスを実行する。
【００３１】尚、画像形成装置１６に特定印字モードが設定された時点において、実行中のプリントジョブがある場合には、該プリントジョブが正常に終了するのを待ってから、キャリブレーション処理を実行する。
【００３２】キャリブレーション処理が終了したら、ステップＳ１０４においてテストプリントの実行が設定されているか否かを判定する。この設定も、ホストコンピュータ１から入力されたコマンドに基づいて行われるが、操作部１２よりユーザが直接設定しても良い。尚、テストプリント設定の際に、キャリブレーション処理の試行回数Ｎの上限Ｍも同時に設定されるとする。
【００３３】テストプリントが設定されていなければ、ステップＳ１０９へ進んでキャリブレーション処理を反映したプリント処理を行なうが、テストプリントが設定されていれば、ステップＳ１０５に進んでテストプリントを実行する。そしてステップＳ１０６において、ユーザが該テストプリント結果に満足できるのであれば、ステップＳ１０９へ進んで
キャリブレーション処理を反映したプリント処理を行なう
【００３４】一方、ステップＳ１０６においてユーザがテストプリント結果に満足できないのであれば、再度キャリブレーション処理を実行する。まずステップＳ１０７，Ｓ１０８でキャリブレーション処理の試行回数Ｎが上限Ｍ以下であることを確認した後にＮをインクリメントし、ステップＳ１０３に戻ってキャリブレーション処理を再度実行する。この場合、キャリブレーション処理におけるパラメータがＮに応じて可変となる。これにより、キャリブレーション処理をＭ回実行するまでにユーザの満足する結果が得られれば、ステップＳ１０９で適切なキャリブレーション処理を反映したプリント動作を実行することができる。
【００３５】尚、ステップＳ１０７においてＮがＭを越えてしまった場合には即ち、キャリブレーション処理を最大回数実行したにも関わらず、満足するプリント結果が得られないため、特定プリントモードによるプリント処理を中止する。尚、この場合、特定プリントモードによらない通常プリント処理が可能である旨をユーザに報知し、通常プリントモードが改めて設定された場合に、通常プリントを実行するようにしても良い。
【００３６】以上説明したように本実施形態によれば、
特定プリントモードが設定されている際に強制的にキャリブレーション処理を実行
【００３７】従って、
例えば１枚の原稿を大量に複写するような一連の印刷処理を実行する際には、該プリントジョブを特定プリントモードによって実行することにより、実際にプリント処理が開始される前に強制的にキャリブレーションを行なうことができる
【００３８】尚、本実施形態においては、通常プリントモード時には従来通りの所定タイミングによるキャリブレーションを行なう例について説明したが、
例えばキャリブレーション処理は特定プリントモード設定時のみに行なうとしても良い。または、キャリブレーション処理を行なわないプリントモードを別に設け
これにより、高い画像品質が要求されないプリントについてはキャリブレーションを行なわないモードで実行することにより、プリント時間を短く抑えることができ
　
（３）「【００５７】＜第３実施形態＞以下、本発明に係る第３実施形態について説明する。
第３実施形態における画像形成装置の構成は上述した第１実施形態に示す図１と同様
【００５８】
第３実施形態においては、特定プリントモードの設定時には、画像展開時の画像欠損を最小限に抑えるために、専用ページメモリを確保する
【００５９】以下、第３実施形態におけるプリント処理について、図４のフローチャートを参照して説明する。
【００６０】まずステップＳ３０１において、画像形成装置１６内のコントローラ２により、特定プリントモードが設定されているか否かが判定される。この判定は、第１実施形態と同様にホストコンピュータ１から入力されたコマンド、又は操作部１２からの入力に基づいて行われる。特定プリントモードが設定されていなければステップＳ３１５へ進んで通常のプリント処理を行なうが、特定プリントモードが設定されていれば、コントローラ２は、以下に示す特定プリントモードによるプリント処理を開始する。
【００６１】
特定プリントモードにおいてコントローラ２は、まずステップＳ３０２で自身に搭載されているメモリ容量を確認して、特定プリントモードによる画像展開に必要なページメモリを確保する。ここでは、画像データをビットマップ形式まで展開する
【００６２】ここで、
必要なメモリ容量を確保できない場合にはステップＳ３０３に進み、特定プリントモードが実行不可能である旨、及び、通常プリントモードであれば動作可能である旨のメッセージを操作部１２のディスプレイに表示することによりユーザに報知
【００６３】その後、
該報知に応じて行われたユーザ指示が、通常のプリントモードによるプリント指示であるか否かをステップＳ３０４において判定し
通常プリントモードが設定された場合には、ステップＳ３１５に進んで通常のプリントモードによるプリント処理を実行する
【００６４】ステップＳ３０２において必要なメモリ容量を確保できたら、その後コントローラ２は、エンジンコントローラ３に対して強制的にキャリブレーション処理を実行する旨の命令を送信することにより、以下に示す特定プリントモードによるプリント処理（ステップＳ３０６〜Ｓ３１５）を開始する。尚、第３実施形態における特定プリント処理は、上述した第２実施形態に示した図３のステップＳ２０２〜Ｓ２１１の処理と同様であるため、ここでは説明を省略する。
【００６５】以上説明したように
第３実施形態によれば、画像展開に十分なメモリ容量をプリント前に確保するため、展開時に画像の欠落が発生することがない。従って、１ページ内の画像が完全に再現され、キャリブレーション結果を十分に反映した高画質プリントが安定して実現される
【００６６】尚、第３実施形態においては展開後の画像データとしてビットマップ形式に展開する例について説明したが、もちろん他の形式に展開することも可能である。例えば、ランレングス，ＭＲ，ＭＭＲ等の符号化方式によって圧縮された画像データを保持するようにページメモリを確保しても良いし、画像データを画像形成装置１６に固有の中間画像データとして保持するようにしても良い。これにより、確保すべきメモリ容量を抑制することができる。
【００６７】＜第３実施形態の変形例＞第３実施形態においては、十分なメモリ容量が確保できなかった場合、特定プリントモードは不可能であり、通常プリントモードによるプリントが可能である旨のメッセージを操作部１２に表示する（Ｓ３０３）例について説明した。
【００６８】本変形例においては、
十分なメモリ容量が確保できなかった場合、特定プリントモードは不可能であるが、拡張メモリを追加インストールすれば動作可能となる旨のメッセージを操作部１２のディスプレイに表示することにより、ユーザに報知する。
【００６９】また
該報知を、ホストコンピュータ１からのプリント実行コマンドに対するレスポンスとして実行することも可能である。この場合、ホストコンピュータ１においては、該レスポンスに基づき、プリンタドライバ画面等において拡張メモリのインストールを促すメッセージを表示することができる
【００７０】また、
ホストコンピュータ１が上記レスポンスを受信した際に、プリンタドライバがホストコンピュータ１内において使用可能なメモリ容量を確認し、特定プリントモードによるプリント処理のために該メモリを確保するようにしても良い
そして、該メモリに対して例えばビットマップに展開された画像情報を保持しておくことにより、画像形成装置１６側で保持できない画像データを、ホストコンピュータ１側において保持することができる。そして、キャリブレーションの実行後のプリント時に、プリンタドライバはメモリに保持した画像データを画像形成装置１６において処理可能な単位で、順次送信すれば良い
　
（４）「【００７１】＜他の実施形態＞なお、本発明は、
複数の機器（例えばホストコンピュータ，インタフェイス機器，リーダ，プリンタなど）から構成されるシステム
　
（５）上記（１）ないし（４）からみて、引用例には、
「ホストコンピュータ１と、インタフェイス機器と、リーダと、
　コントローラ２、エンジンコントローラ３、複数の現像器を回転可能に担持した支持体４、感光ドラム５、露光装置７及び中間転写体８を備えた画像形成装置１６とから構成され、フルカラー画像を形成するシステムであって、
　前記ホストコンピュータ１が画像データを一定の規則に基づいたコードに変換して画像形成装置１６に送信し、前記ホストコンピュータ１から送出された前記コード化されたデータが前記画像形成装置１６のコントローラ２に入力されてビットマップ形式の画像データに展開されて各色毎に前記エンジンコントローラ３に送出され、さらに前記露光装置７内のレーザダイオードが画像信号に基づいて点灯することによって、前記画像データに対応した光情報が前記感光ドラム５に照射されて静電潜像が形成され、前記現像器により可視化され、前記感光ドラム５上に形成されたトナー像は、その後前記中間転写体８上に転写され、このような工程を各色分繰り返すことにより、前記中間転写体８上には複数色のトナーによるフルカラー画像が形成され、その後、前記中間転写体８上のトナー画像は転写材に転写され、該転写材は搬送路１４を通過して定着ユニット１３に搬送されてトナー画像が永久定着されることにより、転写材上にカラー画像が得られ、
　使用環境や累積プリント枚数等の諸条件の変化によって形成画像の濃度が変動すると、本来の正しい色調が得られなくなってしまうという課題を解決するために、画像形成装置１６で、前記感光ドラム５上や前記中間転写体８上に各色毎のパッチを試験的に形成し、その濃度をセンサにより検知し、コントローラ２において、該検知結果に基づいて検出されたパッチ濃度の値に基づき、各色成分のガンマテーブルの色処理条件を調整して出力階調を補正するキャリブレーション処理を行って安定した画像品質及び画像精度を維持することができる前記システムにおいて、
　従来は、電源投入直後や所定枚数のプリント後等の所定タイミングにおいて、キャリブレーション処理を施していたところ、キャリブレーシヨン処理の実行後には安定した画像品質及び画像精度は得られるものの、キャリブレーション処理の直前と直後とにおいて、画像濃度をはじめとする画像品質及び画像精度に差違が現れるため、例えば所定枚数のプリント毎に上記キャリブレーション処理が実行される場合、１枚の原稿を大量に複写するような一連の印刷処理の途中でキャリブレーション処理が実行されてしまい、同様の印刷処理を行なっているにも関わらず、キャリブレーション処理の前後で印刷結果が大きく異なってしまうという不具合が発生してしまう問題、及び、キャリブレーションを実行するためには相応の処理時間を要することから、プリント開始時や所定枚数のプリント毎の所定タイミングに無条件でキャリブレーション処理を実行した場合、例えば高い画像品質や画像精度を必要としない、実質的に短時間で印刷されるようなプリントを行なう場合においても、キャリブレーション処理の実行タイミングによっては、１枚の印刷のために膨大な時間がかかってしまうという問題があったため、これらの問題を解決して、キャリブレーション処理の実行タイミングを任意に制御することを可能とすることを目的として、
　所定プリント枚数毎や電源投入時等の所定タイミングにおいてキャリブレーション処理が実行される通常プリントモードに加えて、更に、プリント動作の直前に強制的にキャリブレーション処理を行なう特定プリントモードを備えるとともに、キャリブレーション処理を行なわないプリントモードを別に設け、
　例えば１枚の原稿を大量に複写するような一連の印刷処理を実行する際には、該プリントジョブを特定プリントモードによって実行することにより、実際にプリント処理が開始される前に強制的にキャリブレーションを行なうことができるようにするとともに、高い画像品質が要求されないプリントについてはキャリブレーションを行なわないモードで実行することにより、プリント時間を短く抑えることができ、
　特定プリントモードの設定時には、特定プリントモードによるプリント処理における画像データのビットマップ形式までの画像展開にメモリ容量が十分でないと、該画像展開時に画像の欠落が発生するため、画像展開時の画像欠損を最小限に抑えるべくメモリを確保し、必要なメモリ容量を確保できない場合には、ユーザ指示により、通常のプリントモードによるプリント処理を実行するものであり、
　該メモリ確保のために、前記コントローラ２は、まず自身に搭載されているメモリ容量を確認して、画像データをビットマップ形式まで展開するために必要なメモリを確保し、画像形成装置１６において十分なメモリ容量が確保できなかった場合、特定プリントモードは不可能であるが、拡張メモリを追加インストールすれば動作可能となる旨の報知を、ホストコンピュータ１からのプリント実行コマンドに対するレスポンスとして前記画像形成装置１６側からホストコンピュータ側に送信し、ホストコンピュータ１が上記レスポンスを受信した際に、プリンタドライバがホストコンピュータ１内において使用可能なメモリ容量を確認し、特定プリントモードによるプリント処理のために該メモリを確保し、前記メモリに対してビットマップに展開された画像データを保持しておくことにより、画像形成装置１６側で保持できない画像データを、ホストコンピュータ１側において保持することができ、キャリブレーションの実行後のプリント時に、前記ホストコンピュータ１のプリンタドライバは該メモリに保持した画像データを画像形成装置１６において処理可能な単位で、順次送信することで、画像形成装置１６においてキャリブレーション処理を反映したプリント処理を行う
　前記システム。」の発明（以下「引用発明」という。）が記載されているものと認められる。
　
３　対比
　本願発明と引用発明とを対比する。
（１）引用発明の「ホストコンピュータ１と、インタフェイス機器と、リーダと、画像形成装置１６とから構成され、フルカラー画像を形成するシステム」、「キャリブレーション処理」、「ビットマップ形式の画像データ」、「メモリ」、「画像形成装置１６」、「パッチ」、「検出されたパッチ濃度の値」、「ガンマテーブル」及び「コントローラ２」は、それぞれ、本願発明の「カラー画像処理装置」、「キャリブレーション」、「画像データ」、「記憶手段」、「画像形成手段」、「パッチ」、「読み取り値」、「補正テーブル」及び「制御手段」に相当する。
　
（２）引用発明の「カラー画像処理装置（システム）」は、前記ホストコンピュータ１から送出された前記コード化されたデータを前記「画像形成手段（画像形成装置１６）」のコントローラ２に入力してビットマップ形式の画像データに展開するものであり、ビットマップ形式の画像データに展開することはラスタライズを行うことにほかならない（例えば、当審拒絶理由で引用した、特開２０００−２５３２５２号公報【０００５】参照。）から、引用発明は、ホストコンピュータ１から送出されたコード化されたデータを、画像データに展開するラスタライズ手段を有するものといえる。
　したがって、引用発明の「カラー画像処理装置」と本願発明の「カラー画像処理装置」とは、「データを画像データに展開するラスタライズ手段」を有する点で一致する。
　
（３）引用発明の「記憶手段（メモリ）」は、ビットマップに展開された画像データを保持しておくものであるから、上記（２）に照らせば、本願発明の「記憶手段」と、「該ラスタライズ手段により展開された画像データを記憶する」ものである点で一致する。
　
（４）引用発明の「カラー画像処理装置（システム）」は、前記ホストコンピュータ１から送出された前記コード化されたデータが前記「画像形成手段（画像形成装置１６）」のコントローラ２に入力されてビットマップ形式の画像データに展開されて各色毎に前記エンジンコントローラ３に送出され、転写材上にカラー画像が得られるようにされており、前記ビットマップ形式の画像データは、「記憶手段（メモリ）」に記憶されるものであるから、引用発明の「画像形成手段」と本願発明の「画像形成手段」とは、「該記憶手段により記憶されている画像データに基づき画像形成を行なう」ものである点で一致する。
　
（５）引用発明の「各色毎のパッチを試験的に形成し、その濃度をセンサにより検知し、検出されたパッチ濃度の値に基づき、各色成分のガンマテーブルの色処理条件を調整して出力階調を補正するキャリブレーション処理」は、使用環境や累積プリント枚数等の諸条件の変化によって形成画像の濃度が変動すると、本来の正しい色調が得られなくなってしまうという課題を解決して、安定した画像品質及び画像精度を維持するために行うものであるから、ガンマテーブルを調整することで該テーブルをその都度更新するものであることが当業者に自明である。
　一方、本願発明の「複数のパッチからなるパターン画像の読み取り値と基準値を比較することで補正テーブルを作成する前記キャリブレーション」は、装置周囲の温度や湿度、もしくは構成部品の経時変化などの影響を受け、最終的に紙上に定着されるトナー量が変化することによって、一定品位の出力画像を得られないという課題を解決するために行われるもの（本願の発明の詳細な説明【０００５】〜【０００７】参照。）であるから、作成した補正テーブルで該テーブルをその都度更新するものであることが当業者に自明である。
　してみると、引用発明の「各色毎の『パッチ』を試験的に形成し、その濃度をセンサにより検知し、『読み取り値（検出されたパッチ濃度の値）』に基づき、各色成分の『補正テーブル（ガンマテーブル）』の色処理条件を調整して出力階調を補正する『キャリブレーション（キャリブレーション処理）』」と本願発明の「複数のパッチからなるパターン画像の読み取り値と基準値を比較することで補正テーブルを作成する前記キャリブレーション」とは、「複数のパッチを前記画像形成手段により形成し、該複数のパッチの読み取り値に基づいて補正テーブルを更新する」ものである点で一致するといえる。
　そして、引用発明の「カラー画像処理装置（システム）」が前記「キャリブレーション」を行うための何らかの手段を備えていることは当業者に自明であるから、該「キャリブレーションを行うための手段」と本願発明の「複数のパッチからなるパターン画像の読み取り値と基準値を比較することで補正テーブルを作成する前記キャリブレーションを行うキャリブレーション手段」とは、「複数のパッチの読み取り値に基づいて補正テーブルを更新するキャリブレーションを行うキャリブレーション手段」である点で一致する。
　
（６）引用発明の「カラー画像処理装置（システム）」は、特定プリントモードの設定時には、特定プリントモードによるプリント処理における画像データのビットマップ形式までの画像展開にメモリ容量が十分でないと、該画像展開時に画像の欠落が発生するため、画像展開時の画像欠損を最小限に抑えるべくメモリを確保し、必要なメモリ容量を確保できない場合には、ユーザ指示により、通常のプリントモードによるプリント処理を実行するものであり、該メモリ確保のために、前記コントローラ２は、まず自身に搭載されているメモリ容量を確認して、画像データをビットマップ形式まで展開するために必要なメモリを確保し、画像形成装置１６において十分なメモリ容量が確保できなかった場合、特定プリントモードは不可能であるが、拡張メモリを追加インストールすれば動作可能となる旨の報知を、ホストコンピュータ１からのプリント実行コマンドに対するレスポンスとして前記画像形成装置１６側からホストコンピュータ側に送信し、ホストコンピュータ１が上記レスポンスを受信した際に、プリンタドライバがホストコンピュータ１内において使用可能なメモリ容量を確認し、特定プリントモードによるプリント処理のために該メモリを確保し、前記メモリに対してビットマップに展開された画像データを保持しておくことにより、画像形成装置１６側で保持できない画像データを、ホストコンピュータ１側において保持することができ、キャリブレーションの実行後のプリント時に、前記ホストコンピュータ１のプリンタドライバは該メモリに保持した画像データを画像形成装置１６において処理可能な単位で、順次送信することで、画像形成装置１６においてキャリブレーション処理を反映したプリント処理を行うものであるから、上記「画像データのビットマップ形式までの画像展開」は上記「キャリブレーションの実行」中でも行うものであり、上記「画像形成装置１６においてキャリブレーション処理を反映したプリント処理」は上記「キャリブレーションの実行」中には行えないものである。
　してみると、上記「キャリブレーションの実行」後に、メモリに保持していた「ビットマップに展開された画像データ」の「キャリブレーションの実行後のプリント」を「画像形成装置１６」に開始させるためには、メモリに対してビットマップに展開された画像データを保持してから、上記「キャリブレーション」が実行中であるか否かを判断しなければならない。
　したがって、引用発明の「カラー画像処理装置」が、キャリブレーション実行中か否かを判断するための何らかの判断手段を有していることは当業者に自明であり、該「判断手段」が、本願発明の「前記記憶手段により画像データを記憶してから、前記キャリブレーションが実行中であるか否かを判断する判断手段」に相当する。
　そうすると、引用発明の「制御手段（コントローラ２）」と本願発明の「制御手段」とは、「該判断手段によりキャリブレーションが実行中と判断された場合には、該キャリブレーションの実行が終了するまで待機させた後、前記画像形成手段による画像形成を開始させる」点で一致するといえる。
　
（７）上記（１）ないし（６）からみて、本願発明と引用発明とは、
「データを画像データに展開するラスタライズ手段と、該ラスタライズ手段により展開された画像データを記憶する記憶手段と、該記憶手段により記憶されている画像データに基づき画像形成を行なう画像形成手段とを有するカラー画像処理装置において、
　複数のパッチを前記画像形成手段により形成し、該複数のパッチの読み取り値に基づいて補正テーブルを更新するキャリブレーションをおこなうキャリブレーション手段と、
　前記記憶手段により画像データを記憶してから、前記キャリブレーションが実行中であるか否かを判断する判断手段と、
　該判断手段によりキャリブレーションが実行中と判断された場合には、該キャリブレーションの実行が終了するまで待機させた後、前記画像形成手段による画像形成を開始させる制御手段と
　を備えたカラー画像処理装置。」である点で一致し、次の点で相違するものと認められる。
　
相違点１：
　本願発明では、前記カラー画像処理装置は、ネットワークに接続されており、このネットワークを介してＰＤＬデータが前記キャリブレーション実行中に転送されてきても前記ラスタライズ手段がこれを展開するものであるのに対して、引用発明では、前記カラー画像処理装置はネットワークに接続されておらず、前記ラスタライズ手段は、ＰＤＬデータを画像データに展開できるものかどうか不明である点。
　
相違点２：
　本願発明では、前記「複数のパッチ」は、「パターン画像」を構成しており、前記「読み取り値」は、該「パターン画像」を読み取ったものであり、前記「キャリブレーション」は、この読み取り値と「基準値」を「比較」することで「作成」した補正テーブルで補正テーブルを更新するものであるのに対して、引用発明では、前記「複数のパッチ」がパターン画像を構成しているか、前記「キャリブレーション」が、前記「読み取り値」を基準値と比較しているか、また前記「補正テーブル」を作成しているか、どうかがいずれも不明な点。
　
４　判断
（１）上記相違点１について検討する。
　ア　ネットワークに接続されており、ネットワークを介して印刷データを受け取ることができるプリンタであって、ネットワークを介して送られてきた印刷データがＰＤＬデータであっても、これを受け取ってメモリに展開してラスタ形式のデータとした後に印刷を行うものは、本願出願前に周知（以下「周知技術１」という。例．当審拒絶理由でそれぞれ引用した、特開２００２−２２９２７８号公報（【００２２】〜【００２３】、【００７２】及び図１１参照。）、特開２０００−２５３２５２号公報（【００３２】〜【００３５】、【００９１】、図４及び図１３参照。）、特開２０００−９９２９１号公報（【００２８】〜【００２９】、【００４７】〜【００５７】、図２及び図３参照。「１５００はＬＢＰ本体であり、外部に接続されているホストコンピュータから供給される印刷情報（文字コード等）やフォーム情報あるいはマクロ命令等を入力して記憶するとともに、それらの情報に従って対応する文字パターンやフォームパターン等を作成し、記録媒体である記録紙等に像を形成する」（【００２８】）との記載は、「ＰＤＬデータ」に関するものであるといえる。））である。
　
　イ　ネットワークに接続されており、ネットワークを介して印刷データを受け取ることができるプリンタであって、キャリブレーション実行中でもネットワークを介して送られてきた印刷データを受け取ることができるものは、本願出願前に周知（以下「周知技術２」という。例．特開２００２−１８２８８７号公報（【０１０２】〜【０１１５】、【０１３７】、【０１３８】、図７及び図８参照。「移行処理（完全キャリブレーション処理）が実行されている間」が、「キャリブレーション実行中」に相当する。）、特開２００１−１７１２１１号公報（【００１９】、【００６０】〜【００７７】、図１、図６、図９（Ｃ）及び図１１参照。「移行処理（キャリブレーション処理）が実行されている間」が、「キャリブレーション実行中」に相当する。）、当審拒絶理由で引用した特開２０００−９９２９１号公報（【００３２】、【００５３】〜【００５７】、図２及び図３参照。「受信バッファに十分な空きがないと判断した場合には、ステップ（２）で、ハードディスク（ＨＤ）２３上に確保されるスプール領域に印刷ＪＯＢを取り込む」（【００５５】）及び「受信バッファの空き容量に応じて処理を切り替える場合について説明したが、・・・（中略）・・・色濃度キャリブレーションなど一時的に印刷処理が中断していないかなどによって処理を切り替えるように構成してもよい」（【００５７】）との記載から、キャリブレーション実行中に印刷ＪＯＢを取り込むことが記載されていると認められ、「『色濃度キャリブレーションなど一時的に印刷処理が中断』している時」及び「印刷ＪＯＢ」が、それぞれ、「キャリブレーション実行中」及び「印刷データ」に相当する。））であり、キャリブレーション実行中に印刷データを受け取れると印字速度が向上したり、データ処理効率が向上することは、当業者に自明である（特に、上記特開２００２−１８２８８７号公報【要約】、【０１１３】〜【０１１５】、上記特開２００１−１７１２１１号公報【要約】、【００７５】〜【００７７】及び上記特開２０００−９９２９１号公報【００５０】参照。）。
　
　ウ　上記ア及びイからみて、引用発明の「画像形成手段を有するカラー画像処理装置」を、周知技術１のものや周知技術２のものと同様に、ネットワークに接続してネットワークを介して印刷データを受け取ることができるようにするとともに、周知技術１のものと同様に、ネットワークを介して送られてきた印刷データがＰＤＬデータであっても、これを受け取ってメモリに展開してラスタ形式のデータとした後に印刷を行えるようにすることは、当業者が周知技術１及び周知技術２に基づいて容易になし得たことである。
　ここで、引用発明の「画像形成手段を有するカラー画像処理装置」は、「画像データのビットマップ形式までの画像展開はキャリブレーションの実行中でも行う」ものである（上記３（６）参照。）から、キャリブレーション実行中にネットワークを介して送られてきた印刷データを受け取っても、これをビットマップ形式まで画像展開できるものである。
　してみると、引用発明の「画像形成手段を有するカラー画像処理装置」を、上記の通り、ネットワークに接続してネットワークを介して印刷データを受け取ることができるようにするとともに、ネットワークを介して送られてきたＰＤＬデータを受け取ってメモリに展開してラスタ形式のデータとした後に印刷を行えるようにする際に、周知技術２と同様にして、キャリブレーション実行中にネットワークを介して送られてきたＰＤＬデータであっても同様にして印刷を行えるようにすることは、当業者が周知技術１及び周知技術２に基づいて容易になし得たことである。
　
　エ　引用発明において上記ウのようになすことは、引用発明において、上記相違点１に係る本願発明の構成とすることに相当するから、引用発明において、上記相違点１に係る本願発明の構成とすることは、上記ウからみて、当業者が周知技術１及び周知技術２に基づいて容易になし得たことである。
　
（２）上記相違点２について検討する。
　ア　各色に対応した複数個のパッチを有するパターンの濃度を測定し、該測定値とあらかじめ記憶されている基準値とを比較し、この比較に基づいて各色の画像データを補正するための補正テーブルを作成するキャリブレーション手段は、本願出願前に周知である（以下「周知技術３」という。例．当審拒絶理由でそれぞれ引用した、特開２０００−２５３２５２号公報（【００１２】〜【００１４】参照。「補正テーブルの内容を更新し、これをラスターイメージプロセッサのテーブル変換部に登録する」（【００１４】）との記載から、テーブル変換部への登録前に補正テーブルを作成していることは当業者に自明である。）、特開２００１−９４８０３号公報（【００１１】〜【００１６】、図３及び図４参照。「４色×８段階で合計３２個のパッチ」、「基準値（目標値）」、「γ補正テーブル」及び「生成」が、それぞれ、「各色に対応した複数個のパッチを有するパターン」、「基準値」、「補正テーブル」及び「作成」に相当する。）、特開２０００−６９３０７号公報（【００８６】、【０１６３】〜【０１７１】、図１４及び図２７〜図２９参照。「各四行16列の64階調分のグラデーションパッチ群からなるテストプリント2」、「理想の特性（リニアな特性）L」及び「ガンマ変換テーブル」が、それぞれ、「各色に対応した複数個のパッチを有するパターン」、「基準値」及び「補正テーブル」に相当する。「このようにして得られたキャリブレーション用のデータである補正係数ka、グリッド電位Vgおよび現像バイアス電位Vdc、並びに、ガンマ変換テーブルは一組のキャリブレーション用データとしてハードディスク354に格納される」（【０１６９】）との記載から、ハードディスク354への格納前にガンマ変換テーブルを作成していることは明らかである。））。
　
　イ　引用発明において、前記「記憶手段（メモリ）」に基準値をあらかじめ記憶させておくようになし、前記「複数のパッチ」をパターンを構成するものとするとともに、該パターンの濃度を前記センサにより検知した「読み取り値（検出されたパッチ濃度の値）」と前記基準値とを比較するようになし、該比較に基づいて前記「補正テーブル（ガンマテーブル）」の「更新」を行うようになし、該「更新」を前記「補正テーブル」を作成して前記「記憶手段」などに保存するなどして行うようになすこと、すなわち引用発明において上記相違点２に係る本願発明の構成となすことは、当業者が周知技術３に基づいて適宜なし得た程度のことである。
　
（３）本願発明の奏する効果は、引用発明の奏する効果、周知技術１の奏する効果、周知技術２の奏する効果及び周知技術３の奏する効果から当業者が予測できた程度のものである。
　
（４）上記（１）ないし（３）のとおりであるから、本願発明は、当業者が、引用例に記載された発明、周知技術１、周知技術２及び周知技術３に基づいて容易に発明をすることができたものである。　
　
５　むすび 
　本願発明は、以上のとおり、当業者が、引用例に記載された発明、周知技術１、周知技術２及び周知技術３に基づいて容易に発明をすることができたものであるから、特許法第２９条第２項の規定により特許を受けることができない。
　よって、結論のとおり審決する。